(57)【要約】【課題】出没機構を簡易構造にできるとともに、ペン先没入状態でペン先側を下向きにして落下衝撃が加わった場合でもペン先の損傷を確実に回避できる出没式筆記具を提供する。【解決手段】出没機構が、可動部材４と、ノック部材５と、第１の係止孔２３と、第２の係止孔２４と、付勢部材７と、を備える。可動部材４が筆記体３に連結される。ノック部材５が可動部材４の内部に前後方向に移動可能に収容される。可動部材４の側壁に径方向の弾発性を有する係止爪部４３が形成される。ペン先没入状態において、係止爪部４３が第１の係止孔２３が係合される。ペン先没入状態でノック部材５の前方への押圧を解除した状態において、係止爪部４３の径方向内方への変位がノック部材５の規制壁部５４により規制される。【選択図】  図１
2017114088.tif 000002
【特許請求の範囲】
【請求項１】
軸筒と、前記軸筒内に前後方向に移動可能に収容された筆記体と、前記軸筒内に収容され且つ前記筆記体を後方に付勢する弾発体と、前記弾発体の後方付勢に抗して筆記体を前方移動させることにより前記筆記体のペン先を前記軸筒の前端孔から突出状態にする出没機構とを備えた出没式筆記具であって、
前記出没機構が、
前記軸筒内に前後方向に移動可能に収容される可動部材と、
前記可動部材の内部に前後方向に移動可能に収容され且つ前記軸筒の後端孔より後方に突出されるノック部材と、
前記軸筒の側壁に形成される第１の係止孔と、
前記第１の係止孔の前方の軸筒の側壁に形成される第２の係止孔と、
前記可動部材と前記ノック部材との間に配置され且つノック部材を後方に付勢する付勢部材と、を備え、
前記可動部材が、前側壁部と、前側壁部より後方に連設される筒状部とを備え、前記前側壁部の前面に前記筆記体が連結され、前記筒状部の側壁の外面に、径方向の弾発性を有する係止爪部が形成され、前記係止爪部が筒状部の内部に没入可能に構成され、
前記ノック部材が、摺動筒部と、前記摺動筒部より後方に連設されるノック部とを備え、前記摺動筒部が、前記可動部材の筒状部内部に前後方向に摺動可能に収容され、前記摺動筒部の側壁の中間部に、前記係止爪部が挿通可能な貫通孔が形成され、
前記貫通孔より前方の摺動筒部の側壁に規制壁部が形成され、
ペン先没入状態において、前記ノック部が前記軸筒の後端孔より後方に突出され、
ペン先没入状態において、前記係止爪部が前記第１の係止孔に係合され、
ペン先突出状態において、前記係止爪部が前記第２の係止孔及び前記貫通孔の両者に係合され、
ペン先没入状態とペン先突出状態との間の移行過程で、前記係止爪部が、前記軸筒の側壁内面との圧接により径方向内方に変位されるとともに前記貫通孔内に挿通され、
ペン先没入状態で前記ノック部材の前方への押圧を解除した状態において、前記係止爪部の径方向内方に前記ノック部材の前記規制壁部が位置され、前記係止爪部の径方向内方への変位が規制されてなることを特徴とする出没式筆記具。
【請求項２】
前記出没機構が、前記第２の係止孔の径方向外方に配置され且つペン先突出状態の前記係止爪部を径方向内方に押圧可能に構成される解除部を備える請求項１記載の出没式筆記具。
【発明の詳細な説明】
【技術分野】
【０００１】
本発明は、出没式筆記具に関する。
【背景技術】
【０００２】
この種の出没式筆記具において、ペン先側を下向きにして落下衝撃が加わった際のペン先が損傷することを回避する目的で、筆記体を軸筒内に前後方向に移動可能に収容し、前記筆記体を後方に付勢する弾発体を前記軸筒内に収容し、弾発体の後方付勢に抗して筆記体を前方移動させることにより前記筆記体のペン先を前記軸筒の前端孔から突出状態にする出没機構を備えた出没式筆記具であって、前記軸筒内に環状の弾性体を配置し、前記軸筒内の弾性体の後方に環状の錘体を前後方向に移動可能に配置し、前記筆記体が前記弾性体の内孔及び前記錘体の内孔を貫通し、衝撃時、前記錘体が弾性体に衝突することによって前記弾性体が径方向に膨出し、筆記体の外面を弾性体が挟持可能に構成したことを特徴とする出没式筆記具が開示されている。
【先行技術文献】
【特許文献】
【０００３】
【特許文献１】特開２０１２−２３２４８３号公報
【発明の概要】
【発明が解決しようとする課題】
【０００４】
前記特許文献１の出没式筆記具は、錘体が弾性体を径方向に膨出することを利用する構成であるため、比較的弱い衝撃が加わった場合、弾性体が十分に膨出変形せず、筆記体を挟持する十分な力が発生しないため、ペン先の突出を十分に回避できないおそれがある。
【０００５】
本発明は、前記従来の問題点を解決するものであって、出没機構を簡易構造にできるとともに、ペン先没入状態でペン先側を下向きにして落下衝撃が加わった場合でもペン先の損傷を確実に回避できる出没式筆記具を提供しようとするものである。尚、本発明で、「前」とは、ペン先側を指し、「後」とは、その反対側を指す。本発明において、ペン先突出状態とは、ペン先が軸筒前端より外部に突出した状態を指し、ペン先没入状態とは、ペン先が軸筒内部に没入した状態を指す。
【課題を解決するための手段】
【０００６】
本願の第１の発明は、軸筒２と、前記軸筒２内に前後方向に移動可能に収容された筆記体３と、前記軸筒２内に収容され且つ前記筆記体３を後方に付勢する弾発体６と、前記弾発体６の後方付勢に抗して筆記体３を前方移動させることにより前記筆記体３のペン先３１を前記軸筒２の前端孔２１から突出状態にする出没機構とを備えた出没式筆記具であって、前記出没機構が、前記軸筒２内に前後方向に移動可能に収容される可動部材４と、前記可動部材４の内部に前後方向に移動可能に収容され且つ前記軸筒２の後端孔２２より後方に突出されるノック部材５と、前記軸筒２の側壁に形成される第１の係止孔２３と、前記第１の係止孔２３の前方の軸筒２の側壁に形成される第２の係止孔２４と、前記可動部材４と前記ノック部材５との間に配置され且つノック部材５を後方に付勢する付勢部材７と、を備え、前記可動部材４が、前側壁部４１と、前側壁部４１より後方に連設される筒状部４２とを備え、前記前側壁部４１の前面に前記筆記体３が連結され、前記筒状部４２の側壁の外面に、径方向の弾発性を有する係止爪部４３が形成され、前記係止爪部４３が筒状部４２の内部に没入可能に構成され、前記ノック部材５が、摺動筒部５１と、前記摺動筒部５１より後方に連設されるノック部５２とを備え、前記摺動筒部５１が、前記可動部材４の筒状部４２内部に前後方向に摺動可能に収容され、前記摺動筒部５１の側壁の中間部に、前記係止爪部４３が挿通可能な貫通孔５３が形成され、前記貫通孔５３より前方の摺動筒部５１の側壁に規制壁部５４が形成され、ペン先没入状態において、前記ノック部５２が前記軸筒２の後端孔２２より後方に突出され、ペン先没入状態において、前記係止爪部４３が前記第１の係止孔２３に係合され、ペン先突出状態において、前記係止爪部４３が前記第２の係止孔２４及び前記貫通孔５３の両者に係合され、ペン先没入状態とペン先突出状態との間の移行過程で、前記係止爪部４３が、前記軸筒２の側壁内面との圧接により径方向内方に変位されるとともに前記貫通孔５３内に挿通され、ペン先没入状態で前記ノック部材５の前方への押圧を解除した状態において、前記係止爪部４３の径方向内方に前記ノック部材５の前記規制壁部５４が位置され、前記係止爪部４３の径方向内方への変位が規制されてなることを特徴とする。
【０００７】
前記第１の発明の出没式筆記具１は、前記形態を採用したことにより、出没機構を簡易構造にできるとともに、ペン先没入状態でペン先側を下向きにして落下衝撃が加わった場合でもペン先の損傷を確実に回避できる。
【０００８】
本願の第２の発明は、前記第１の出没式筆記具１において、前記出没機構が、前記第２の係止孔２４の径方向外方に配置され且つペン先突出状態の前記係止爪部４３を径方向内方に押圧可能に構成される解除部２６を備えることを特徴とする。
【０００９】
前記第２の発明の出没式筆記具１は、前記形態を採用したことにより、ペン先突出状態を容易に解除できる。
【発明の効果】
【００１０】
本発明の出没式筆記具は、出没機構を簡易構造にできるとともに、ペン先没入状態でペン先側を下向きにして落下衝撃が加わった場合でもペン先の損傷を確実に回避できる。
【図面の簡単な説明】
【００１１】
【図１】本発明の実施の形態のペン先没入状態を示す縦断面図である。
【図２】図１のペン先没入状態でノック部材を前方に押圧した状態を示す縦断面図である。
【図３】図１のペン先没入状態とペン先突出状態との間の移行過程の状態を示す縦断面図である。
【図４】図１のペン先突出状態を示す縦断面図である。
【図５】図１の軸筒の要部斜視図である。
【図６】図１の可動部材の斜視図である。
【図７】図１のノック部材の斜視図である。
【図８】図１の分解図である。
【発明を実施するための形態】
【００１２】
本発明の実施の形態を図１乃至図８に示す。
本実施の形態の出没式筆記具１は、軸筒２と、軸筒２内に前後方向に移動可能に収容される筆記体３と、軸筒２内に収容され且つ前記筆記体３を後方に常時付勢する弾発体６（例えば圧縮コイルスプリング）と、軸筒２後端より突出するノック部５２を前方に押圧することによって筆記体３のペン先３１を軸筒２の前端孔２１より出没させる出没機構とを備える。
【００１３】
・軸筒
前記軸筒２は、前端に前端孔２１が前後方向に貫設される。前記軸筒２の後部側壁には、第１の係止孔２３と、第１の係止孔２３より前方に形成される第２の係止孔２４とが形成される。前記第１の係止孔２３は、前後方向の長さが第２の係止孔２４より大きく形成される。前記軸筒２の後部側壁内面には、前後方向に延びるガイド溝２８（図８参照）が形成される。
【００１４】
・解除部
前記軸筒２の側壁には、径方向の可撓性を有する脚部２５ａの一端が固定される。前記脚部２５ａの他端の内面には、径方向内方に突出する突起形状の解除部２６が形成される。前記解除部２６は、前記第２の係止孔２４の径方向外方に位置される。前記脚部２５ａは、クリップ部を構成し、前記解除部２６は、クリップ部の玉部を構成する。本実施の形態では、脚部２５ａが一体に形成された尾栓２５が、軸筒２の後端開口部に固着される。これ以外にも、脚部２５ａが軸筒２の側壁外面に一体に形成される構成でもよい。
【００１５】
・筆記体
前記筆記体３は、ボールペンレフィルであり、インキ収容管の前端に、ペン先３１としてボールペンチップが取り付けられる。前記ボールペンチップは、チップ本体の前端に回転可能にボールが抱持されている。前記インキ収容管の内部には、インキ（水性または油性インキ）と、該インキの後端に充填され且つ該インキの消費に伴い前進する追従体（例えば高粘度流体）が収容される。前記筆記体３の後端面（例えば、インキ収容管の後端面、またはインキ収容管の後端部に固着された尾栓の後端面）には連結部３３（例えば凹部）が形成される。
【００１６】
・弾発体
前記弾発体６は、圧縮コイルスプリングからなる。前記弾発体６の前端が、軸筒２の前端部内面の当接部２７に係止され、前記弾発体６の後端が筆記体３の外面の肩部３２に係止される。
【００１７】
・出没機構
前記出没機構が、可動部材４と、ノック部材５と、軸筒２の側壁の第１の係止孔２３と、軸筒２の側壁の第２の係止孔２４と、付勢部材７とを備える。
【００１８】
・可動部材
前記可動部材４は、前記軸筒２の後部内に前後方向に移動可能に収容される。前記可動部材４は、前側が閉鎖され且つ後方に開口される有底の筒状体からなり、合成樹脂の成形体により得られる。前記可動部材４が、前側壁部４１と、前側壁部４１より後方に一体に連設される筒状部４２とを備える。前記可動部材４の筒状部４２の外面には、前後方向に延びるガイド突条４５（図６参照）が一体に形成される。前記ガイド突条４５がガイド溝２８内を前後方向に摺動する。前記可動部材４の筒状部４２の内面には前後方向に延びる縦溝４７（図８参照）が形成される。
【００１９】
・係止爪部
前記筒状部４２の側壁の外面に、径方向の弾発性を有する係止爪部４３が一体に形成される。前記係止爪部４３が筒状部４２の内部に没入可能に構成される。前記筒状部４２側壁には、前記係止爪部４３を囲むようにスリット４４が径方向に貫設され、径方向の弾発性を有する弾性片が形成される。即ち、前記係止爪部４３は、前記弾性片の外面に形成され、筒状部４２側壁に対して径方向内方に変位可能となる。前記係止爪部４３の径方向外面には、斜め前方に向いた傾斜面４３ａ（前方に向かうに従い軸筒２の軸心に近づくテーパ面または曲面）が形成される。前記傾斜面４３ａは、第１の係止孔２３の前側内面に当接可能であり、第２の係止孔２４の前側内面に当接可能である。前記係止爪部４３の後面は、第１の係止孔２３の後側内面に係止可能であり、第２の係止孔２４の後側内面に係止可能である。
【００２０】
前記前側壁部４１の前面には、筆記体３の後端部の連結部３３に連結可能な被連結部４６（例えば凸部）が一体に形成される。前記被連結部４６が筆記体３の連結部３３に連結される。これ以外にも、前記筆記体３の後端部の連結部３３が凸部により形成され、前記前側壁部４１の前面に形成する被連結部４６が凹部により形成される構成でもよい。前記連結部３３と前記被連結部４６との連結構造は、落下衝撃等の前後方向の強い衝撃では連結状態が解除されない構造（例えば、螺合、係合等）が採用される。
【００２１】
・ノック部材
前記ノック部材５は、前方に開口され且つ後側が閉鎖される有底の筒状体からなり、合成樹脂の成形体により得られる。前記ノック部材５は、前記可動部材４の筒状部４２内部に前後方向に摺動可能に収容される摺動筒部５１と、前記摺動筒部５１より後方に連設されるノック部５２とを備える。ペン先没入状態において、前記ノック部５２が前記軸筒２の後端孔２２より後方に突出される。前記摺動筒部５１の側壁の中間部（摺動筒部５１の前端より後方且つ摺動筒部５１の後端より前方の位置）に、前記係止爪部４３が挿通可能な貫通孔５３が形成される。前記貫通孔５３の前方の摺動筒部５１の側壁は、規制壁部５４が形成される。前記摺動筒部５１の側壁の外面には、前後方向に延びる縦リブ５５（図７参照）が一体に形成される。前記縦リブ５５が、可動部材４内面の縦溝４７に摺動される。前記摺動筒部５１の外径は軸筒２の後端孔２２の内径より大きく形成され、前記ノック部５２の外径は軸筒２の後端孔２２の内径より小さく形成される。
【００２２】
・付勢部材
前記付勢部材７は、可動部材４とノック部材５との間に配置される。前記付勢部材７によりノック部材５が可動部材４に対して後方に付勢される。前記付勢部材７は、例えば圧縮コイルスプリングからなる。前記付勢部材７の前端が、可動部材４の前側壁部４１の後面に係止され、前記付勢部材７の後端が、前記ノック部材５の内壁（ノック部の内壁）に係止される。前記付勢部材７の弾発力は、筆記体３を後方に付勢する弾発体６の弾発力よりも小さい。
【００２３】
・ペン先突出過程
ペン先没入状態において、前記係止爪部４３が前記第１の係止孔２３が係合されている（図１）。ペン先没入状態から、ノック部５２を、付勢部材７の後方付勢に抗して前方に押圧操作すると、はじめにノック部材５が可動部材４に対して前方に移動し、ノック部材５の前端が、可動部材４の内壁（可動部材４の前側壁部４１後面）に当接される（図２）。この時、ノック部材５の側壁の貫通孔５３が、係止爪部４３の径方向内方に位置される。
【００２４】
その後、さらに、ノック部材５を弾発体６の後方付勢に抗して前方に押圧操作すると、係止爪部４３の傾斜面４３ａが第１の係止孔２３の前端縁部に当接し、ノック部材５の前方移動に従い、可動部材４が前方に移動され、それに伴い筆記体３が前方に移動する。可動部材４が前方に移動する従い、係止爪部４３が軸筒２側壁に径方向内方に押圧され、次第に径方向内方に変位され、係止爪部４３が可動部材４の内部に没入されるとともに貫通孔５３に挿通される。このとき、係止爪部４３と第１の係止孔２３との係合状態が解除される（図３）。
【００２５】
その後、さらに、ノック部材５を弾発体６の後方付勢に抗して前方に押圧操作すると、可動部材４の前方移動に伴い、係止爪部４３が貫通孔５３に挿通された状態のまま係止爪部４３が前方に移動する。係止爪部４３が第２の係止孔２４の径方向内方の位置に達すると、係止爪部４３が径方向外方に変位し、係止爪部４３が第２の係止孔２４に係合される。これにより、ペン先突出状態となる（図４）。ペン先突出状態において、筆記使用時、係止爪部４３の後面が、第２の係止孔２４内面に係止され、筆記体３に後方移動が規制され、ペン先突出状態が維持される。また、ペン先突出状態において、前記係止爪部４３の前面が前記貫通孔５３の内面に係止される。
【００２６】
・ペン先突出状態の解除
ペン先突出状態において、脚部２５ａの外面を径方向内方に押圧操作すると、解除部２６が径方向内方に変位され、第２の係止孔２４内に挿入される。その後、解除部２６が係止爪部４３の径方向外面に当接し、解除部２６が係止爪部４３を径方向内方に押圧すると、係止爪部４３が径方向内方に変位され、可動部材４の内部に没入される。係止爪部４３が可動部材４の内部に没入されると、係止爪部４３と第２の係止孔２４との係合状態が解除される。係止爪部４３と第２の係止孔２４との係合状態が解除されると、弾発体６の後方付勢により可動部材４が後方に移動し、それに伴い筆記体３が後方に移動する（図３）。その後、係止爪部４３が第１の係止孔２３に係合され、弾発体６の後方付勢により、係止爪部４３の後面が第１の係止孔２３の内面に係止され、ペン先没入状態が維持される（図１）。
【００２７】
・落下衝撃時
ペン先没入状態において、前記係止爪部４３が前記第１の係止孔２３が係合される。この状態で、ノック部材５の前方への押圧を解除した状態とき（図１）、係止爪部４３の径方向内方にノック部材５の側壁の規制壁部５４が位置され、係止爪部４３の径方向内方への変位が規制される。それにより、ペン先没入状態でペン先３１を下向きにして落下衝撃が加わった際、係止爪部４３が第１の係止孔２３に係止された状態が維持され、可動部材４が前方に移動することを防止され、その結果、ペン先３１が軸筒２の前端孔２１より突出することを確実に回避できる。
【００２８】
本実施の形態の出没式筆記具１は、前記出没機構が、前記軸筒２内に前後方向に移動可能に収容される可動部材４と、前記可動部材４の内部に前後方向に移動可能に収容され且つ前記軸筒２の後端孔２２より後方に突出されるノック部材５と、前記軸筒２の側壁に形成される第１の係止孔２３と、前記第１の係止孔２３の前方の軸筒２の側壁に形成される第２の係止孔２４と、前記可動部材４と前記ノック部材５との間に配置され且つノック部材５を後方に付勢する付勢部材７と、を備え、前記可動部材４が、前側壁部４１と、前側壁部４１より後方に連設される筒状部４２と、を備え、前記前側壁部４１の前面に前記筆記体３が連結され、前記筒状部４２の側壁の外面に、径方向の弾発性を有する係止爪部４３が形成され、前記係止爪部４３が筒状部４２の内部に没入可能に構成され、前記ノック部材５が、摺動筒部５１と、前記摺動筒部５１より後方に連設されるノック部５２とを備え、前記摺動筒部５１が、前記可動部材４の筒状部４２内部に前後方向に摺動可能に収容され、前記摺動筒部５１の側壁の中間部に、前記係止爪部４３が挿通可能な貫通孔５３が形成され、前記貫通孔５３より前方の摺動筒部５１の側壁に規制壁部５４が形成され、前記ノック部５２が、ペン作没入状態において軸筒２の後端孔２２より後方に突出され、ペン先没入状態において、前記係止爪部４３が前記第１の係止孔２３に係合され、ペン先突出状態において、前記係止爪部４３が前記第２の係止孔２４及び前記貫通孔５３の両者に係合され、ペン先没入状態とペン先突出状態との間の移行過程で、前記係止爪部４３が、軸筒２の側壁内面との圧接により径方向内方に変位されるとともに前記貫通孔５３内に挿通され、ペン先没入状態でノック部材５の前方への押圧を解除した状態において、係止爪部４３の径方向内方にノック部材５の規制壁部５４が位置され、係止爪部４３の径方向内方への変位が規制されてなることにより、出没機構を簡易構造にできるとともに、ペン先没入状態でペン先側を下向きにして落下衝撃が加わった場合でもペン先の損傷を確実に回避できる。
【００２９】
本実施の形態の出没式筆記具１は、前記出没機構が、前記第２の係止孔２４の径方向外方に配置され且つペン先突出状態の前記係止爪部４３を径方向内方に押圧可能に構成される解除部２６を備えることにより、ペン先突出状態を容易に解除できる。
【符号の説明】
【００３０】
１  出没式筆記具
２  軸筒
２１  前端孔
２２  後端孔
２３  第１の係止孔
２４  第２の係止孔
２５  尾栓
２５ａ  脚部
２６  解除部
２７  当接部
２８  ガイド溝
３  筆記体
３１  ペン先
３２  肩部
３３  連結部
４  可動部材
４１  前側壁部
４２  筒状部
４３  係止爪部
４３ａ  傾斜面
４４  スリット
４５  ガイド突条
４６  被連結部
４７  縦溝
５  ノック部材
５１  摺動筒部
５２  ノック部
５３  貫通孔
５４  規制壁部
５５  縦リブ
６  弾発体
７  付勢部材
【図１】
2017114088.tif 000003
【図２】
2017114088.tif 000004
【図３】
2017114088.tif 000005
【図４】
2017114088.tif 000006
【図５】
2017114088.tif 000007
【図６】
2017114088.tif 000008
【図７】
2017114088.tif 000009
【図８】
2017114088.tif 000010